(57)【要約】【課題】ケーブルが煽られたときにも内側構造体のぐらつきを規制できるコネクタを提供すること。【解決手段】コネクタ１０は、嵌合部３０とケーブル保持部５６とを有する内側構造体２０と、前側保持部６２と後側保持部６６とを有する外側ハウジング６０とを備えている。嵌合部３０は、相手側コネクタ８０と嵌合する部位であり、端子３２と、端子３２を保持する保持部材３４と、端子３２及び保持部材３４を囲むシェル３８とを備えている。ケーブル保持部５６は、ケーブル７０の外被７２を保持する部位であり、前後方向（Ｘ方向）において嵌合部３０の後方に位置している。前側保持部６２は、嵌合部３０が前後方向と直交する直交平面（ＹＺ平面）において移動しないようにシェル３８を保持している。後側保持部６６は、前側保持部６２の後方に位置しており、ケーブル保持部５６を直交平面において移動しないように保持している。【選択図】図７
2020077524.tif 000002
【特許請求の範囲】
【請求項１】
外被と複数の芯線とを有するケーブルに取り付け可能であり、且つ、相手側嵌合部を有する対象物と前後方向に沿って嵌合可能なコネクタであって、
前記コネクタは、内側構造体と、外側ハウジングとを備えており、
前記内側構造体は、嵌合部と、複数の結線部と、結線保護部と、ケーブル保持部とを備えており、
前記嵌合部は、前記コネクタと前記対象物とが互いに嵌合した嵌合状態において、相手側嵌合部と嵌合し、
前記嵌合部は、複数の端子と、保持部材と、シェルとを備えており、
前記保持部材は、前記端子を保持しており、
前記シェルは、前記前後方向と直交する直交平面において、前記端子及び前記保持部材を囲んでおり、
前記結線部及び前記結線保護部は、前記嵌合部の後方に位置しており、
前記結線部は、前記端子を前記ケーブルの前記芯線に夫々結線する部位であり、
前記結線保護部は、前記結線部を保護しており、
前記ケーブル保持部は、前記結線保護部の後方に位置しており、
前記ケーブル保持部は、前記ケーブルの前記外被を、前記直交平面において直接的又は間接的に保持する部位であり、
前記外側ハウジングは、前側保持部と、収容部と、後側保持部とを有しており、
前記収容部は、前記結線保護部を収容しており、
前記前側保持部は、前記収容部の前方に位置しており、前記嵌合部が前記直交平面において移動しないように前記シェルを保持しており、
前記後側保持部は、前記収容部の後方に位置しており、前記ケーブル保持部を前記直交平面において移動しないように保持している
コネクタ。
【請求項２】
請求項１記載のコネクタであって、
前記内側構造体は、絶縁部材を備えており、
前記結線保護部及び前記ケーブル保持部の夫々は、前記絶縁部材の一部である
コネクタ。
【請求項３】
請求項１又は請求項２記載のコネクタであって、
前記内側構造体は、中継基板と、付加的シェルとを備えており、
前記中継基板には、前記結線部が設けられており、
前記結線部の夫々は、前側接点と、後側接点と、線路とを有しており、
前記後側接点は、前記前側接点の後方に位置しており、
前記線路は、前記前側接点と前記後側接点とを互いに接続しており、
前記端子は、前記前側接点と夫々接触しており、
前記後側接点は、前記ケーブルの前記芯線と夫々接続される部位であり、
前記付加的シェルは、前記直交平面において前記中継基板を囲んでいる
コネクタ。
【請求項４】
請求項１から請求項３までのいずれかに記載のコネクタであって、
前記シェルは、上面と、下面と、２つの側部とを有しており、
前記シェルの前記上面は、前記前後方向と直交する上下方向において、前記シェルの前記下面の上方に位置しており、
前記シェルの前記側部は、前記前後方向及び前記上下方向の双方と直交する幅方向において、互いに前記シェルの反対側に位置しており、
前記前側保持部は、前記シェルの前記上面、前記下面及び前記側部の夫々を点又は面で支持しており、且つ、前記上下方向において前記シェルを挟み込むと共に前記幅方向において前記シェルを挟み込んでいる
コネクタ。
【請求項５】
請求項４記載のコネクタであって、
前記ケーブル保持部は、上面と、下面と、２つの側部とを有しており、
前記ケーブル保持部の前記上面は、前記上下方向において、前記ケーブル保持部の前記下面の上方に位置しており、
前記ケーブル保持部の前記側部は、前記幅方向において、互いに前記ケーブル保持部の反対側に位置しており、
前記後側保持部は、前記ケーブル保持部の前記上面、前記下面及び前記側部の夫々を点又は面で支持しており、且つ、前記上下方向において前記ケーブル保持部を挟み込むと共に前記幅方向において前記ケーブル保持部を挟み込んでいる
コネクタ。
【請求項６】
請求項１から請求項３までのいずれかに記載のコネクタであって、
前記ケーブル保持部は、上面と、下面と、２つの側部とを有しており、
前記ケーブル保持部の前記上面は、前記前後方向と直交する上下方向において、前記ケーブル保持部の前記下面の上方に位置しており、
前記ケーブル保持部の前記側部は、前記前後方向及び前記上下方向の双方と直交する幅方向において、互いに前記ケーブル保持部の反対側に位置しており、
前記後側保持部は、前記ケーブル保持部の前記上面、前記下面及び前記側部の夫々を点又は面で支持しており、且つ、前記上下方向において前記ケーブル保持部を挟み込むと共に前記幅方向において前記ケーブル保持部を挟み込んでいる
コネクタ。
【請求項７】
請求項１から請求項６までのいずれかに記載のコネクタであって、
前記嵌合部は、ＵＳＢ３．１  ＴＹＰＥ−Ｃのレセプタクルと嵌合可能なプラグである
コネクタ。
【請求項８】
請求項１から請求項７までのいずれかに記載のコネクタであって、
前記外側ハウジングは、単一の部材であり、
前記直交平面における前記ケーブル保持部のサイズは、前記直交平面における前記嵌合部のサイズよりも大きい
コネクタ。
【請求項９】
請求項１から請求項８までのいずれかに記載のコネクタとケーブルとを備えたハーネスであって、
前記コネクタは、前記ケーブルに取り付けられている
ハーネス。
【発明の詳細な説明】
【技術分野】
【０００１】
本発明は、ケーブルに取り付けられる内側構造体と、内側構造体を収容する外側ハウジングとを備えるコネクタに関し、且つ、ケーブルと、内側構造体をケーブルに取り付けて外側ハウジングに収容したコネクタとを備えるハーネスに関する。
【背景技術】
【０００２】
このタイプのコネクタは、例えば、特許文献１に開示されている。
【０００３】
図２１を参照すると、特許文献１のシールドコネクタ（コネクタ）９０は、ケーブル９８に取り付けられる電気接続子（内側構造体）９２と、内側構造体９２を収容するコネクタハウジング（外側ハウジング）９４と、リテーナ９６とを備えている。内側構造体９２には、２つのスタビライザ９２２が設けられており、外側ハウジング９４には、２つのガイド溝９４２が形成されている。図示した内側構造体９２は、上下にひっくり返した状態で、スタビライザ９２２をガイド溝９４２に夫々挿入するようにして、外側ハウジング９４に挿入されている。リテーナ９６は、内側構造体９２を外側ハウジング９４に挿入した後、外側ハウジング９４に取り付けられており、これにより、内側構造体９２は、外側ハウジング９４の内部に保持されている。このとき、スタビライザ９２２は、内側構造体９２の外側ハウジング９４内部でのぐらつきを規制している。
【先行技術文献】
【特許文献】
【０００４】
【特許文献１】実開２００２−３１９４５６号公報
【発明の概要】
【発明が解決しようとする課題】
【０００５】
特許文献１に開示された構造は、外側ハウジングの内部での内側構造体９２のぐらつきを十分に規制できない。特に、ケーブルが煽られたとき、内側構造体がぐらつくおそれがある。
【０００６】
そこで、本発明は、ケーブルが煽られたときにも内側構造体のぐらつきを規制できるコネクタを提供することを目的とする。
【課題を解決するための手段】
【０００７】
本発明は、第１のコネクタとして、
外被と複数の芯線とを有するケーブルに取り付け可能であり、且つ、相手側嵌合部を有する対象物と前後方向に沿って嵌合可能なコネクタであって、
前記コネクタは、内側構造体と、外側ハウジングとを備えており、
前記内側構造体は、嵌合部と、複数の結線部と、結線保護部と、ケーブル保持部とを備えており、
前記嵌合部は、前記コネクタと前記対象物とが互いに嵌合した嵌合状態において、相手側嵌合部と嵌合し、
前記嵌合部は、複数の端子と、保持部材と、シェルとを備えており、
前記保持部材は、前記端子を保持しており、
前記シェルは、前記前後方向と直交する直交平面において、前記端子及び前記保持部材を囲んでおり、
前記結線部及び前記結線保護部は、前記嵌合部の後方に位置しており、
前記結線部は、前記端子を前記ケーブルの前記芯線に夫々結線する部位であり、
前記結線保護部は、前記結線部を保護しており、
前記ケーブル保持部は、前記結線保護部の後方に位置しており、
前記ケーブル保持部は、前記ケーブルの前記外被を、前記直交平面において直接的又は間接的に保持する部位であり、
前記外側ハウジングは、前側保持部と、収容部と、後側保持部とを有しており、
前記収容部は、前記結線保護部を収容しており、
前記前側保持部は、前記収容部の前方に位置しており、前記嵌合部が前記直交平面において移動しないように前記シェルを保持しており、
前記後側保持部は、前記収容部の後方に位置しており、前記ケーブル保持部を前記直交平面において移動しないように保持している
コネクタを提供する。
【０００８】
また、本発明は、第２のコネクタとして、第１のコネクタであって、
前記内側構造体は、絶縁部材を備えており、
前記結線保護部及び前記ケーブル保持部の夫々は、前記絶縁部材の一部である
コネクタを提供する。
【０００９】
また、本発明は、第３のコネクタとして、第１又は第２のコネクタであって、
前記内側構造体は、中継基板と、付加的シェルとを備えており、
前記中継基板には、前記結線部が設けられており、
前記結線部の夫々は、前側接点と、後側接点と、線路とを有しており、
前記後側接点は、前記前側接点の後方に位置しており、
前記線路は、前記前側接点と前記後側接点とを互いに接続しており、
前記端子は、前記前側接点と夫々接触しており、
前記後側接点は、前記ケーブルの前記芯線と夫々接続される部位であり、
前記付加的シェルは、前記直交平面において前記中継基板を囲んでいる
コネクタを提供する。
【００１０】
また、本発明は、第４のコネクタとして、第１から第３までのいずれかのコネクタであって、
前記シェルは、上面と、下面と、２つの側部とを有しており、
前記シェルの前記上面は、前記前後方向と直交する上下方向において、前記シェルの前記下面の上方に位置しており、
前記シェルの前記側部は、前記前後方向及び前記上下方向の双方と直交する幅方向において、互いに前記シェルの反対側に位置しており、
前記前側保持部は、前記シェルの前記上面、前記下面及び前記側部の夫々を点又は面で支持しており、且つ、前記上下方向において前記シェルを挟み込むと共に前記幅方向において前記シェルを挟み込んでいる
コネクタを提供する。
【００１１】
また、本発明は、第５のコネクタとして、第４のコネクタであって、
前記ケーブル保持部は、上面と、下面と、２つの側部とを有しており、
前記ケーブル保持部の前記上面は、前記上下方向において、前記ケーブル保持部の前記下面の上方に位置しており、
前記ケーブル保持部の前記側部は、前記幅方向において、互いに前記ケーブル保持部の反対側に位置しており、
前記後側保持部は、前記ケーブル保持部の前記上面、前記下面及び前記側部の夫々を点又は面で支持しており、且つ、前記上下方向において前記ケーブル保持部を挟み込むと共に前記幅方向において前記ケーブル保持部を挟み込んでいる
コネクタを提供する。
【００１２】
また、本発明は、第６のコネクタとして、第１から第３までのいずれかのコネクタであって、
前記ケーブル保持部は、上面と、下面と、２つの側部とを有しており、
前記ケーブル保持部の前記上面は、前記前後方向と直交する上下方向において、前記ケーブル保持部の前記下面の上方に位置しており、
前記ケーブル保持部の前記側部は、前記前後方向及び前記上下方向の双方と直交する幅方向において、互いに前記ケーブル保持部の反対側に位置しており、
前記後側保持部は、前記ケーブル保持部の前記上面、前記下面及び前記側部の夫々を点又は面で支持しており、且つ、前記上下方向において前記ケーブル保持部を挟み込むと共に前記幅方向において前記ケーブル保持部を挟み込んでいる
コネクタを提供する。
【００１３】
また、本発明は、第７のコネクタとして、第１から第６までのいずれかのコネクタであって、
前記嵌合部は、ＵＳＢ３．１  ＴＹＰＥ−Ｃのレセプタクルと嵌合可能なプラグである
コネクタを提供する。
【００１４】
また、本発明は、第８のコネクタとして、第１から第７までのいずれかのコネクタであって、
前記外側ハウジングは、単一の部材であり、
前記直交平面における前記ケーブル保持部のサイズは、前記直交平面における前記嵌合部のサイズよりも大きい
コネクタを提供する。
【００１５】
また、本発明は、第１のハーネスとして、第１から第８までのいずれかのコネクタとケーブルとを備えたハーネスであって、
前記コネクタは、前記ケーブルに取り付けられている
ハーネスを提供する。
【発明の効果】
【００１６】
本発明によれば、内側構造体は、前後方向において収容部を挟んで互いに離れた前側保持部及び後側保持部の２つの保持部によって保持されている。特に、本発明によれば、前側保持部は、内側構造体の嵌合部が直交平面において移動しないように内側構造体のシェルを保持しており、後側保持部は、内側構造体のケーブル保持部を前記直交平面において移動しないように保持している。この構造によれば、ケーブルが煽られたときにも内側構造体のぐらつきを規制できる。
【図面の簡単な説明】
【００１７】
【図１】本発明の実施の形態によるコネクタを示す斜視図である。コネクタはケーブルに取り付けられている。
【図２】図１のコネクタを示す底面図である。
【図３】図１のコネクタを示す側面図である。ケーブルのうちコネクタの外部に位置する部位（外側ケーブル）を描画していない。ケーブルのうちコネクタの内部に位置する部位（内側ケーブル）の外被の輪郭を部分的に破線で描画している。
【図４】図３のコネクタをＩＶ−ＩＶ線に沿って示す断面図である。内側ケーブルの輪郭を破線で描画している。
【図５】図１のコネクタを示す正面図である。コネクタの一部（破線で囲んだ部分）を拡大して描画している。
【図６】図１のコネクタを示す背面図である。隠れた被受止部の輪郭を破線で描画している。コネクタの一部（２点鎖線で囲んだ部分）を拡大して描画している。
【図７】図６のコネクタをＶＩＩ−ＶＩＩ線に沿って示す断面図である。外側ケーブルを描画していない。内側ケーブルの輪郭を破線で描画している。相手側コネクタの輪郭を１点鎖線で模式的に描画している。コネクタの一部（２点鎖線で囲んだ２つの部分）を拡大して描画している。
【図８】図１のコネクタの内側構造体を示す斜視図である。内側構造体はケーブルに取り付けられている。
【図９】図８の内側構造体を示す上面図である。外側ケーブルを描画していない。上側シェルの被固定部の輪郭を破線で描画している。
【図１０】図８の内側構造体を示す底面図である。外側ケーブルを描画していない。
【図１１】図８の内側構造体を示す側面図である。外側ケーブルを描画していない。
【図１２】図１１の内側構造体をＸＩＩ−ＸＩＩ線に沿って示す断面図である。内側ケーブルの輪郭を破線で描画している。
【図１３】図８の内側構造体を示す正面図である。
【図１４】図１のコネクタの外側ハウジングを示す斜視図である。
【図１５】図１４の外側ハウジングを示す上面図である。
【図１６】図１４の外側ハウジングを示す側面図である。
【図１７】図１６の外側ハウジングをＸＶＩＩ−ＸＶＩＩ線に沿って示す断面図である。
【図１８】図１４の外側ハウジングを示す正面図である。
【図１９】図１４の外側ハウジングを示す背面図である。
【図２０】図１８の外側ハウジングをＸＸ−ＸＸ線に沿って示す断面図である。内部構造体が外側ハウジングに収容されたときの内部構造体の係合部の位置を破線で描画している。
【図２１】特許文献１のコネクタを示す分解斜視図である。
【発明を実施するための形態】
【００１８】
図１及び図２を参照すると、本発明の実施の形態によるコネクタ１０は、ケーブル７０に取り付け可能である。ケーブル７０に取り付けられたコネクタ１０は、ケーブル７０と共に、ハーネス１００を形成する。即ち、本実施の形態のハーネス１００は、コネクタ１０と、ケーブル７０とを備えている。
【００１９】
図４を参照すると、本実施の形態のケーブル７０は、絶縁体からなる外被７２と、金属製の編組等からなるシールド７４と、導電体からなる複数の芯線７８とを有している。ケーブル７０をコネクタ１０に取り付ける前、芯線７８の夫々は、絶縁被覆されており、且つ、シールド７４によって覆われている（図示せず）。このとき、シールド７４は、外被７２によって覆われている（図示せず）。
【００２０】
ケーブル７０をコネクタ１０に取り付ける際、外被７２の前後方向（Ｘ方向）における前端（＋Ｘ側の端）近傍に、金属性の金具７９０が巻き付けられ、金具７９０は、外被７２を締め付ける。その後、外被７２のうち金具７９０の前方（＋Ｘ側）に位置する部位が除去され、シールド７４の前端部は、外部に露出する。シールド７４の露出した前端部は、後方（−Ｘ方向）に向かって折り返されて、金具７９０を介して外被７２上に位置する。このとき、芯線７８の夫々の前端部は、外被７２及びシールド７４の外部に露出し、絶縁被覆を除去されて前方に向かって延びる。
【００２１】
本実施の形態のケーブル７０は、上述の構造を有している。但し、ケーブル７０が外被７２と複数の芯線７８とを有している限り、本発明におけるケーブル７０の構造は、特に限定されない。
【００２２】
図７を参照すると、コネクタ１０は、相手側嵌合部８２を有する対象物（相手側コネクタ）８０とＸ方向に沿って嵌合可能である。本実施の形態において、対象物８０は、複数の相手側端子８８を備えたレセプタクル（相手側コネクタ８０）であり、コネクタ１０は、レセプタクルと嵌合可能なプラグである。コネクタ１０と相手側コネクタ８０とが互いに嵌合した嵌合状態において、ケーブル７０は、相手側コネクタ８０を備えた電子機器（図示せず）と電気的に接続する。但し、本発明は、これに限られない。例えば、対象物８０は、電子機器の筐体（図示せず）の一部であってもよい。また、コネクタ１０は、レセプタクルであってもよい。
【００２３】
図１から図３までを参照すると、本実施の形態のコネクタ１０は、内側構造体２０と、絶縁体からなる外側ハウジング６０と、絶縁体からなるリテーナ６８とを備えている。図１を参照すると、内側構造体２０は、ケーブル７０に取り付けられる部材であり、外側ハウジング６０は、内側構造体２０を収容する部材である。ケーブル７０を取り付けた内側構造体２０は、外側ハウジング６０の内部に後方から挿入されている。図６を参照すると、リテーナ６８は、外側ハウジング６０からの内側構造体２０の抜け落ちを防止している。本実施の形態のコネクタ１０は、上述の部材を有している。但し、本発明は、これに限られない。例えば、リテーナ６８は、必要に応じて設ければよい。一方、コネクタ１０は、上述の部材に加えて、更に別の部材を備えていてもよい。
【００２４】
図８に示されるように、内側構造体２０は、嵌合部３０を備えている。図１２及び図１３を参照すると、嵌合部３０は、導電体からなる複数の端子３２と、絶縁体からなる保持部材３４と、金属製のシェル３８とを備えている。本実施の形態の端子３２は、Ｘ方向と直交する上下方向（Ｚ方向）において２列に分けられている。２列の端子３２は、水平面（ＸＹ平面）について互いに鏡対称に配置されている。各列の端子３２は、Ｘ方向及びＺ方向の双方と直交する幅方向（Ｙ方向：ピッチ方向）に並べられており、保持部材３４に保持されている。換言すれば、保持部材３４は、端子３２を保持している。シェル３８は、保持部材３４に対して相対的に移動しないように、保持部材３４に固定されている。また、シェル３８は、Ｘ方向と直交する直交平面（ＹＺ平面）において、端子３２及び保持部材３４を殆ど完全に囲んでおり、これにより、端子３２を電磁的にシールドしている。
【００２５】
図８から図１１まで及び図１３を参照すると、本実施の形態のシェル３８は、曲げを有する１枚の金属板である。シェル３８は、ＹＺ平面において、Ｙ方向に長いトラック形状を有している。詳しくは、シェル３８は、上面３８２と、下面３８４と、２つの側部３８６とを有している。上面３８２及び下面３８４は、Ｚ方向において、互いにシェル３８の反対側に位置している。上面３８２は、Ｚ方向において下面３８４の上方に位置している。上面３８２及び下面３８４の夫々は、ＸＹ平面と平行に延びる平面である。２つの側部３８６は、Ｙ方向において、互いにシェル３８の反対側に位置している。側部３８６の夫々は、ＹＺ平面において、Ｙ方向外側に張り出した弧形状を有している。
【００２６】
図７を参照すると、嵌合部３０は、嵌合状態において、相手側コネクタ８０の相手側嵌合部８２と嵌合する。詳しくは、嵌合部３０の端子３２は、相手側コネクタ８０の相手側端子８８に夫々対応するように設けられている。嵌合状態において、端子３２の夫々は、対応する相手側端子８８と接続する。換言すれば、本実施の形態における嵌合部３０は、嵌合状態において相手側端子８８と夫々接続する端子３２が設けられた部位である。
【００２７】
本実施の形態の嵌合部３０は、上述の構造を有している。特に、本実施の形態の嵌合部３０は、ＵＳＢ（universal serial bus）３．１  ＴＹＰＥ−Ｃのレセプタクルと嵌合可能なプラグである。但し、本発明は、これに限られない。例えば、端子３２の形状、数および配置は、特に限定されない。保持部材３４は、端子３２を保持できる限り、単一の部材であっても複数の部材から形成された組立体であってもよく、且つ、どのような形状を有していてもよい。シェル３８は、保持部材３４に保持された端子３２を囲んで電磁的にシールドできる限り、単一の部材であっても複数の部材から形成された組立体であってもよく、且つ、どのような形状を有していてもよい。例えば、シェル３８は、ＹＺ平面において、矩形形状を有していてもよい。また、嵌合部３０は、端子３２、保持部材３４及びシェル３８に加えて、更に別の部材を備えていてもよい。
【００２８】
図１２に示されるように、内側構造体２０は、中継基板４０を備えている。中継基板４０は、絶縁体からなる基部４２を備えている。基部４２は、嵌合部３０の後端（−Ｘ側の端）に取り付けられており、これにより、中継基板４０は、嵌合部３０の後方に位置している。基部４２は、ＸＹ平面と平行な平板形状を有している。基部４２の上面（＋Ｚ側の面）及び下面（＋Ｚ側の面）の夫々には、複数の結線部４４が形成されている。結線部４４の夫々は、基部４２に形成された導電パターンである。即ち、中継基板４０には、複数の結線部４４が設けられており、結線部４４は、嵌合部３０の後方に位置している。
【００２９】
図７及び図１２を参照すると、結線部４４の夫々は、前側接点４４２と、後側接点４４６と、線路４４４とを有している。後側接点４４６は、前側接点４４２の後方に位置している。線路４４４は、Ｘ方向に沿って延びており、前側接点４４２と後側接点４４６とを互いに接続している。
【００３０】
図７を参照すると、結線部４４は、端子３２に夫々対応して設けられており、端子３２は、結線部４４の前側接点４４２と夫々接触している。詳しくは、端子３２の夫々は、接続部３２２と、接触部３２８とを有している。接続部３２２の夫々は、嵌合状態において、対応する相手側端子８８に接続される。接触部３２８の夫々は、対応する結線部４４の前側接点４４２と夫々接触している。一方、後側接点４４６は、ケーブル７０の芯線７８と夫々接続される部位である。即ち、結線部４４は、端子３２をケーブル７０の芯線７８に夫々結線する部位である。ケーブル７０に取り付けられたコネクタ１０が相手側コネクタ８０と嵌合すると、ケーブル７０の芯線７８は、対応する結線部４４及び端子３２を介して相手側端子８８と電気的に接続される。
【００３１】
本実施の形態の内側構造体２０は、上述の構造を有する中継基板４０及び端子３２を備えている。但し、本発明は、これに限られない。例えば、中継基板４０及び端子３２の構造は、本実施の形態に限定されない。また、内側構造体２０は、端子３２を芯線７８に夫々結線する複数の結線部４４を備えている限り、中継基板４０を備えていなくてもよい。例えば、端子３２の夫々は、ケーブル７０の対応する芯線７８に半田付け等によって直接的に接続されていてもよい。この場合、半田付け等が施された部位が結線部である。
【００３２】
図８から図１３までに示されるように、本実施の形態の内側構造体２０は、付加的シェル５８を備えている。本実施の形態の付加的シェル５８は、金属製の上側シェル５８Ｕと、金属製の下側シェル５８Ｌとを備えている。上側シェル５８Ｕ及び下側シェル５８Ｌの夫々は、曲げを有する１枚の金属板である。上側シェル５８Ｕと下側シェル５８Ｌとは、上下に組み合わされて互いに固定されており、これにより、付加的シェル５８が形成されている。図１２を参照すると、付加的シェル５８は、ＹＺ平面において中継基板４０を殆ど完全に囲んでおり、これにより、中継基板４０を電磁的にシールドしている。
【００３３】
図９及び図１３を参照すると、上側シェル５８Ｕは、被固定部５８４を有している。図１０及び図１３を参照すると、下側シェル５８Ｌは、被固定部５８６を有している。図７及び図１３を参照すると、被固定部５８４は、シェル３８の上面３８２に半田付け等によって固定されており、被固定部５８６は、シェル３８の下面３８４に半田付け等によって固定されている。この結果、付加的シェル５８は、シェル３８に対して相対的に移動しないように、シェル３８に固定されており、且つ、シェル３８と電気的に接続されている。
【００３４】
本実施の形態によれば、内側構造体２０は、互いに固定されたシェル３８、上側シェル５８Ｕ及び下側シェル５８Ｌの３つの部材からなるシールド部材を備えている。但し、本発明は、これに限られない。例えば、シェル３８、上側シェル５８Ｕ及び下側シェル５８Ｌの夫々は、１枚の金属板からなる単一のシールド部材の一部であってもよい。換言すれば、内側構造体２０のシールド部材は、曲げを有する１枚の金属板であってもよい。
【００３５】
図９及び図１１を参照すると、上側シェル５８Ｕは、被配置部５８０を有している。被配置部５８０は、上側シェル５８Ｕの後端に設けられた平板状の金属片である（図示せず）。図９から図１１までを参照すると、下側シェル５８Ｌは、かしめ部５８２を有している。かしめ部５８２は、下側シェル５８Ｌの後端に設けられており、環状に巻き付け可能な金属片である。図７を参照すると、被配置部５８０は、ケーブル７０の金具７９０に被さるように折り返されたシールド７４の上に配置されている（図示せず）。かしめ部５８２は、被配置部５８０がシールド７４とかしめ部５８２との間に挿入された状態となるようにして、被配置部５８０を部分的に介してシールド７４に巻き付けられ、ケーブル７０をかしめている。この結果、ケーブル７０は、付加的シェル５８に固定されており、シールド７４は、付加的シェル５８にグランドされている。
【００３６】
本実施の形態によれば、ケーブル７０は、上述のように内側構造体２０に取り付けられる。但し、本発明において、ケーブル７０の内側構造体２０への取付方法は、特に限定されない。
【００３７】
図８及び図１２を参照すると、内側構造体２０は、樹脂等の絶縁体からなる絶縁部材５２を備えている。図１２を参照すると、絶縁部材５２は、結線保護部５４と、ケーブル保持部５６とを有している。即ち、内側構造体２０は、結線保護部５４と、ケーブル保持部５６とを備えている。本実施の形態において、結線保護部５４及びケーブル保持部５６は、互いに一体に形成されている。換言すれば、結線保護部５４及びケーブル保持部５６の夫々は、単一の絶縁部材５２の一部である。即ち、結線保護部５４及びケーブル保持部５６は、互いに相対的に移動しないように互いに固定されている。但し、結線保護部５４及びケーブル保持部５６は、互いに別体の部材であってもよい。
【００３８】
本実施の形態において、結線保護部５４は、付加的シェル５８によって囲まれた空間に充填した樹脂等の絶縁材料から形成されており、嵌合部３０の後方に位置している。また、結線保護部５４を形成する絶縁材料は、部分的に上側シェル５８Ｕの前端部を覆っている。ケーブル保持部５６は、結線保護部５４を形成する絶縁材料の後方において、ケーブル７０及び下側シェル５８Ｌのかしめ部５８２を内部に埋めるようにしてモールド成型されている。即ち、ケーブル保持部５６は、結線保護部５４の後方に位置している。
【００３９】
本実施の形態の結線保護部５４は、付加的シェル５８によって囲まれた空間の内部を殆ど隙間なく埋めており、中継基板４０は、結線保護部５４を介して付加的シェル５８に固定されている。例えば、内側構造体２０が衝撃を受けた場合にも、中継基板４０は、衝撃の影響を殆ど受けない。より具体的には、内側構造体２０が衝撃を受けた場合にも、端子３２の接触部３２８と結線部４４の前側接点４４２との間の接触、及び、ケーブル７０の芯線７８（図７参照）と結線部４４の後側接点４４６との間の接続は、確実に維持される。換言すれば、結線保護部５４は、結線部４４を保護している。上述したように、本実施の形態の結線保護部５４は、付加的シェル５８と中継基板４０との間の空間を殆ど隙間なく埋めるようにして形成されている。但し、結線部４４が保護される限り、結線保護部５４は、どのように形成されていてもよい。
【００４０】
ケーブル保持部５６は、ケーブル７０の外被７２を、ＹＺ平面において直接的又は間接的に保持する部位である。本実施の形態によれば、ケーブル保持部５６は、外被７２の一部を直接的に保持しており、且つ、外被７２の他の一部を、下側シェル５８Ｌのかしめ部５８２等の部位を介して間接的に保持している。但し、本発明は、これに限られず、ケーブル保持部５６は、外被７２をどのように保持していてもよい。
【００４１】
図８から図１１まで及び図１３を参照すると、本実施の形態のケーブル保持部５６は、ＹＺ平面において、矩形形状を有している。詳しくは、本実施の形態のケーブル保持部５６は、上面５６２と、下面５６４と、２つの側部５６６とを有している。下面５６４は、Ｙ方向において２つの部位に分かれている。上面５６２及び下面５６４は、Ｚ方向において、互いにケーブル保持部５６の反対側に位置している。上面５６２は、Ｚ方向において下面５６４の上方に位置している。上面５６２及び下面５６４の夫々は、ＸＹ平面と平行に延びる平面である。２つの側部５６６は、Ｙ方向において、互いにケーブル保持部５６の反対側に位置している。側部５６６の夫々は、ＸＺ平面と平行に延びる平面である。
【００４２】
本実施の形態のケーブル保持部５６は、上述の形状を有している。但し、ケーブル保持部５６は、ケーブル７０（図１２参照）の外被７２（図１２参照）を部分的に保持している限り、どのような形状を有していてもよい。例えば、ケーブル保持部５６は、ＹＺ平面において、トラック形状を有していてもよい。詳しくは、側部５６６の夫々は、ＹＺ平面において、Ｙ方向外側に張り出した弧形状を有していてもよい。
【００４３】
図１４から図１６までを参照すると、本実施の形態の外側ハウジング６０は、樹脂をモールド成型して作製した単一の部材であり、全体として、Ｘ方向に長く延びる直方体形状を有している。図１４、図１７及び図２０を参照すると、外側ハウジング６０は、内部空間６０Ｓを有している。内部空間６０Ｓは、外側ハウジング６０の内部をＸ方向に沿って貫通する孔であり、ＹＺ平面において、外側ハウジング６０の上板６０Ｕ、下板６０Ｌ及び２つの側板６０Ｂによって囲まれている。
【００４４】
図１４から図１６までを参照すると、外側ハウジング６０は、ばね部６０６と、ロック部６０８とを有している。ばね部６０６は、外側ハウジング６０の上板６０Ｕに弾性変形可能に支持されている。ロック部６０８は、ばね部６０６によってＺ方向に移動可能に支持されている。図７を参照すると、ロック部６０８は、嵌合状態において、相手側コネクタ８０の相手側ロック部（図示せず）をロックし、これにより嵌合状態が維持される。
【００４５】
図１及び図４を参照すると、内側構造体２０は、ケーブル７０を取り付けた後、外側ハウジング６０の内部空間６０Ｓに後方から挿入されて収容されており、これによりコネクタ１０が組み立てられている。図３を参照すると、組み立てられたコネクタ１０において、内側構造体２０の下側シェル５８Ｌの一部が、外側ハウジング６０の側板６０Ｂに形成された孔を通って外部に露出している。
【００４６】
図８、図９及び図１３を参照すると、内側構造体２０の下側シェル５８Ｌは、２つの被受止部５８８を有している。被受止部５８８の夫々は、ＸＹ平面と平行な平板形状を有しており、Ｙ方向外側に突出している。また、図１０を参照すると、内側構造体２０には、係合部２２が設けられている。係合部２２は、内側構造体２０の下端（−Ｚ側の端）に位置する空間であり、下方（−Ｚ方向）に開口している。図２０を参照すると、外側ハウジング６０の下板６０Ｌには、取付孔６０２と、ランス６０４とが形成されている。取付孔６０２は、下板６０ＬをＺ方向に貫通している。ランス６０４は、内部空間６０Ｓの内部を前方に向かって延びており、弾性変形可能である。
【００４７】
図２及び図７を参照すると、内側構造体２０が外側ハウジング６０に収容された後、リテーナ６８が、取付孔６０２から内部空間６０Ｓに挿入される。図６を参照すると、外側ハウジング６０に挿入されたリテーナ６８は、部分的に内側構造体２０の被受止部５８８の後方に位置する。このように配置されたリテーナ６８は、内側構造体２０の後方への移動を規制する。即ち、リテーナ６８は、内側構造体２０を抜け止めする。加えて、図２０を参照すると、ランス６０４は、係合部２２と係合し、これにより、内側構造体２０を抜け止めする。本実施の形態によれば、コネクタ１０は、リテーナ６８による抜け止め機構と、ランス６０４による抜け止め機構とを備えており、内側構造体２０は、Ｘ方向において殆ど移動できないようにして、外側ハウジング６０の内部に維持される。但し、本発明は、これに限られず、コネクタ１０は、必要に応じて必要な構造の抜け止め機構を備えていればよい。
【００４８】
図１７を参照すると、外側ハウジング６０は、前側保持部６２と、収容部６４と、後側保持部６６とを有している。収容部６４は、内部空間６０ＳのＸ方向における中間部である。図４及び図７を参照すると、収容部６４は、内側構造体２０の結線保護部５４を、付加的シェル５８と共に収容している。換言すれば、収容部６４は、結線保護部５４を収容する部位である。図１７を参照すると、前側保持部６２は、収容部６４の前方に位置しており、後側保持部６６は、収容部６４の後方に位置している。換言すれば、前側保持部６２及び後側保持部６６は、Ｘ方向において収容部６４を挟んで互いに離れている。
【００４９】
本実施の形態において、前側保持部６２は、内部空間６０Ｓの前端近傍に位置する内壁面から形成されており、後側保持部６６は、内部空間６０Ｓの後端近傍に位置する内壁面から形成されている。但し、本発明は、これに限られず、前側保持部６２、収容部６４及び後側保持部６６がＸ方向に沿って後方に向かってこの順に配置されている限り、前側保持部６２、収容部６４及び後側保持部６６の構造及び配置は、様々に変形可能である。
【００５０】
図４及び図７を参照すると、内側構造体２０の大部分は、内部空間６０Ｓの内壁面との間に殆ど隙間をあけることなく、内部空間６０Ｓの内部に位置している。この結果、内部空間６０Ｓに収容された内側構造体２０は、ＹＺ平面において殆ど移動できない。
【００５１】
特に、外側ハウジング６０の前側保持部６２は、内側構造体２０の嵌合部３０を、ＹＺ平面における所定位置から移動しないように保持している。詳しくは、内側構造体２０のシェル３８は、ＹＺ平面において、前側保持部６２に部分的に押し付けられており、これにより、シェル３８のＹ方向における移動およびＺ方向における移動が規制されている。加えて、シェル３８のＹＺ平面における回転移動も規制されている。また、外側ハウジング６０の後側保持部６６は、内側構造体２０のケーブル保持部５６を、ＹＺ平面における所定位置から移動しないように保持している。詳しくは、ケーブル保持部５６は、ＹＺ平面において、後側保持部６６に部分的に押し付けられており、これにより、ケーブル保持部５６のＹ方向における移動およびＺ方向における移動が規制されている。加えて、ケーブル保持部５６のＹＺ平面における回転移動も規制されている。
【００５２】
上述したように、本実施の形態によれば、内側構造体２０は、Ｘ方向において収容部６４を挟んで互いに離れた前側保持部６２及び後側保持部６６の２つの保持部によって保持されている。特に、本実施の形態によれば、前側保持部６２は、内側構造体２０の嵌合部３０（即ち、内側構造体２０の前端部）がＹＺ平面において移動しないように内側構造体２０のシェル３８を保持しており、後側保持部６６は、内側構造体２０のケーブル保持部５６（即ち、内側構造体２０の後端部）をＹＺ平面において移動しないように保持している。この構造によれば、ケーブル７０に力が加わったときにも、内側構造体２０は、外側ハウジング６０に対して殆ど移動しない。即ち、本実施の形態によれば、ケーブル７０が煽られたときにも、内側構造体２０のぐらつきを規制できる。
【００５３】
特に、図７を参照すると、前側保持部６２は、嵌合部３０を直接的に保持しているため、ケーブル７０が煽られてケーブル保持部５６が僅かに移動したとしても、嵌合部３０は、殆ど影響を受けない。従って、コネクタ１０を相手側コネクタ８０に嵌合させているときにケーブル７０が煽られたとしても、外側ハウジング６０を所定位置に維持することにより、嵌合部３０を相手側嵌合部８２に対してＹＺ平面において正確に位置合わせできる。また、内側構造体２０の各部材は、前述したように互いに固定されており、これにより、ケーブル７０が煽られた場合も、嵌合部３０とケーブル保持部５６との間の互いにねじれるような回転移動が防止される。
【００５４】
図５を参照すると、本実施の形態の前側保持部６２は、シェル３８の上面３８２、下面３８４及び側部３８６の夫々を点又は面で支持しており、且つ、Ｚ方向においてシェル３８を挟み込むと共にＹ方向においてシェル３８を挟み込んでいる。換言すれば、嵌合部３０のシェル３８は、前側保持部６２に軽圧入又は圧入されて、前側保持部６２に保持されている。
【００５５】
詳しくは、前側保持部６２を形成する内壁面のＹＺ平面におけるサイズは、ＹＺ平面におけるシェル３８のサイズよりも僅かに大きい。一方、図１７から図２０までを参照すると、前側保持部６２には、４つの前側リブ６２２が設けられている。前側リブ６２２のうちの２つは、前側保持部６２の上側（＋Ｚ側）の内壁面に形成されており、Ｘ方向に沿って延びつつ、下方に突出している。前側リブ６２２のうちの他の２つは、前側保持部６２の下側（−Ｚ側）の内壁面に形成されており、Ｘ方向に沿って延びつつ、上方に突出している。図５を参照すると、上述の構造により、シェル３８は、前側リブ６２２を押しつぶすようにして、前側保持部６２に挿入される。加えて、シェル３８は、Ｙ方向における両端を前側保持部６２に擦りつけるようにして、前側保持部６２に挿入される。
【００５６】
本実施の形態によれば、前側保持部６２は、押しつぶされた前側リブ６２２の反力によって、シェル３８をＺ方向において挟み込んでいる。加えて、シェル３８のＹ方向における両端部は、前側保持部６２のＹ方向における両端部に押し付けられており、これにより、前側保持部６２は、シェル３８をＹ方向において挟み込んでいる。この構造により、嵌合部３０は、より確実に保持される。但し、本発明は、これに限られない。例えば、前側保持部６２は、前側リブ６２２を有することなく、シェル３８と点接触又は面接触していてもよい。また、前側リブ６２２を設ける場合、前側リブ６２２の数及び配置は、必要に応じて様々に変形可能である。
【００５７】
図６を参照すると、本実施の形態の後側保持部６６は、ケーブル保持部５６の上面５６２、下面５６４及び側部５６６の夫々を点又は面で支持しており、且つ、Ｚ方向においてケーブル保持部５６を挟み込むと共にＹ方向においてケーブル保持部５６を挟み込んでいる。換言すれば、ケーブル保持部５６は、後側保持部６６に軽圧入又は圧入されて、後側保持部６６に保持されている。
【００５８】
詳しくは、後側保持部６６を形成する内壁面のＹＺ平面におけるサイズは、ＹＺ平面におけるケーブル保持部５６のサイズよりも僅かに大きい。一方、図１７、図１９及び図２０を参照すると、後側保持部６６には、８つの後側リブ６６２が設けられている。後側リブ６６２のうちの２つは、後側保持部６６の上側の内壁面に形成されており、Ｘ方向に沿って延びつつ、下方に突出している。後側リブ６６２のうちの他の２つは、後側保持部６６の下側の内壁面に形成されており、Ｘ方向に沿って延びつつ、上方に突出している。後側リブ６６２のうちの他の４つは、後側保持部６６のＹ方向における側部の内壁面に形成されており、Ｘ方向に沿って延びつつ、Ｙ方向内側に突出している。図６を参照すると、上述の構造により、ケーブル保持部５６は、後側リブ６６２を押しつぶすようにして、後側保持部６６に挿入される。
【００５９】
本実施の形態によれば、後側保持部６６は、押しつぶされた後側リブ６６２の反力によって、ケーブル保持部５６をＺ方向において挟み込むと共にＹ方向において挟み込んでいる。この構造により、ケーブル保持部５６は、より確実に保持される。但し、本発明は、これに限られない。例えば、後側保持部６６は、後側リブ６６２を有することなく、ケーブル保持部５６と点接触又は面接触していてもよい。また、後側リブ６６２を設ける場合、後側リブ６６２の数及び配置は、必要に応じて様々に変形可能である。
【００６０】
図１３を参照すると、本実施の形態の内側構造体２０において、ＹＺ平面におけるケーブル保持部５６のサイズは、ＹＺ平面における嵌合部３０のサイズよりも大きい。詳しくは、ケーブル保持部５６及び嵌合部３０をＹＺ平面に投影すると、投影された嵌合部３０は、投影されたケーブル保持部５６の内側に位置する。図１９を図１３と併せて参照すると、前側保持部６２及び後側保持部６６は、嵌合部３０及びケーブル保持部５６と夫々対応しており、これにより、ＹＺ平面における後側保持部６６のサイズは、ＹＺ平面における前側保持部６２のサイズよりも大きい。詳しくは、後側保持部６６及び前側保持部６２をＹＺ平面に投影すると、投影された前側保持部６２は、投影された後側保持部６６の内側に位置する。
【００６１】
上述の構造によれば、内側構造体２０は、ケーブル保持部５６を除き、後側保持部６６と接触することなく、外側ハウジング６０に挿入できる。従って、内側構造体２０を外側ハウジング６０に挿入する際、後側保持部６６が力を受けてＹＺ平面において拡大することを防止できる。即ち、本実施の形態によれば、後側保持部６６の保持機能を損なうことなく、内側構造体２０を外側ハウジング６０に挿入できる。
【００６２】
本実施の形態によるコネクタ１０の構造は、既に説明した変形例に加えて、更に様々に変形可能である。例えば、外側ハウジング６０は、内側構造体２０を収容可能であり、且つ、上述したように内側構造体２０のぐらつきを抑制できる限り、どのような構造を有していてもよい。例えば、外側ハウジング６０は、複数の部材を組み合わせて形成されていてもよい。
【符号の説明】
【００６３】
１００          ハーネス
１０            コネクタ
２０            内側構造体
２２            係合部
３０            嵌合部
３２            端子
３２２          接続部
３２８          接触部
３４            保持部材
３８            シェル
３８２          上面
３８４          下面
３８６          側部
４０            中継基板
４２            基部
４４            結線部
４４２          前側接点
４４４          線路
４４６          後側接点
５２            絶縁部材
５４            結線保護部
５６            ケーブル保持部
５６２          上面
５６４          下面
５６６          側部
５８            付加的シェル
５８Ｕ          上側シェル
５８Ｌ          下側シェル
５８０          被配置部
５８２          かしめ部
５８４，５８６  被固定部
５８８          被受止部
６０            外側ハウジング
６０Ｕ          上板
６０Ｌ          下板
６０Ｂ          側板
６０Ｓ          内部空間
６０２          取付孔
６０４          ランス
６０６          ばね部
６０８          ロック部
６２            前側保持部
６２２          前側リブ
６４            収容部
６６            後側保持部
６６２          後側リブ
６８            リテーナ
７０            ケーブル
７２            外被
７４            シールド
７８            芯線
７９０          金具
８０            対象物（相手側コネクタ）
８２            相手側嵌合部
８８            相手側端子
【図１】
2020077524.tif 000003
【図２】
2020077524.tif 000004
【図３】
2020077524.tif 000005
【図４】
2020077524.tif 000006
【図５】
2020077524.tif 000007
【図６】
2020077524.tif 000008
【図７】
2020077524.tif 000009
【図８】
2020077524.tif 000010
【図９】
2020077524.tif 000011
【図１０】
2020077524.tif 000012
【図１１】
2020077524.tif 000013
【図１２】
2020077524.tif 000014
【図１３】
2020077524.tif 000015
【図１４】
2020077524.tif 000016
【図１５】
2020077524.tif 000017
【図１６】
2020077524.tif 000018
【図１７】
2020077524.tif 000019
【図１８】
2020077524.tif 000020
【図１９】
2020077524.tif 000021
【図２０】
2020077524.tif 000022
【図２１】
2020077524.tif 000023